(57)【特許請求の範囲】
【請求項１】
胴部が、紙を主とする材料で角柱状あるいは角に丸みのある四角柱状に形成され、該胴部の上端が、外周にフランジを有するプラスチックのシート成形による落とし蓋に内嵌合することによって封止され、前記落とし蓋の少なくとも対向する２辺のフランジには、その一部を弱め線を介して延長して折り返し片が設けられ、該折り返し片のうち、一箇所の折り返し片はその弱め線をヒンジとして使用し、他の折り返し片には、更にその外方に摘まみ片が延設されると共に、それぞれの折り返し片が内側に折り返されて対向する胴部側壁外面と剥離可能に接着され、また、前記フランジには、ガスケット機能を有し、かつ弱接着性のあるパッキング剤が胴部上端縁と対向するように固着されていることを特徴とする密封容器。
【請求項２】
前記落とし蓋の裏面に計量スプーンの係止手段として、計量スプーンの把手に対応する形状で、その両側壁幅が該スプーンの把手幅より僅かに狭く形成された凹陥部が設けられていることを特徴とする請求項１記載の密封容器。
【発明の詳細な説明】
【０００１】
【発明の属する技術分野】
本発明は頭部が全開し、計量スプーンの付いた粉体、顆粒状の内容物用の密封容器に関する。
【０００２】
【従来の技術】
小型の粉末洗剤カートンに代表される密封容器は、防湿性、内容物の飛散防止性、使用時に頭部が全開すること、低経済コスト等が要求され、図４に示すように、頭部が平坦で、胴部が角柱状あるいは丸みのある四角柱状の密封容器が使用されている。その一つは、図５（ａ）に示すように、胴部１１の上端をシール性を持たせたグラシン紙１２等でトップシールして防湿性と飛散防止性を与え、全開できるヒンジ付きの被せ蓋１３を取り付けた密封容器２０が一般的である。この容器の場合は、初期開封時にグラシン紙１２を取り外し、それ以降は被せ蓋のみで再封が行われている。
また、図５（ｂ）に示すように、胴部１１側壁が２重壁のカートンからなり、カートン上部の外側の側壁に３方に亘って設けられた帯状の引き裂き片１４を水平に引き裂き、胴部１１とヒンジの付いた被せ蓋部１３に分離し、被せ蓋１３を開けば、グラシン紙等によるトップシールを除くことなく、直ちに中身を取り出せるようにした密封容器２０’も使用されている。
いずれの場合も、計量スプーンは投げ込まれて、中身と一緒に包装されている。
【０００３】
【発明が解決しようとする課題】
しかるに、トップシールを必要とするカートンはさらにその上から被せ蓋を使用するので包装材が２重に使用され、一方２重壁カートンも胴部が２重の板紙から構成され、部分的には資材的に無駄があるという問題がある。
また、初期開封後は被せ蓋を元の位置に戻しても、密閉性はすでになくなり、密閉機能を維持することはできないという問題がある。
また、上記の密封容器２０’では初期開封時に内容物が飛散し易いという問題もある。
本発明は、前述の問題点に鑑みてなされたもので、必要で充分な最小限の素材を使用し、初期開封後も密封性、飛散防止性のある再封可能な密封容器の提供を目的とする。
【０００４】
【課題を解決するための手段】
前記課題は、以下の本発明により解決することができる。即ち、請求項１に記載した発明は、胴部が、紙を主とする材料で角柱状あるいは角に丸みのある四角柱状に形成され、該胴部の上端が、外周にフランジを有するプラスチックのシート成形による落とし蓋に内嵌合することによって封止され、前記落とし蓋の少なくとも対向する２辺のフランジには、その一部を弱め線を介して延長して折り返し片が設けられ、該折り返し片のうち、一箇所の折り返し片はその弱め線をヒンジとして使用し、他の折り返し片には、更にその外方に摘まみ片が延設されると共に、それぞれの折り返し片が内側に折り返されて対向する胴部側壁外面と剥離可能に接着され、また、前記フランジには、ガスケット機能を有し、かつ弱接着性のあるパッキング剤が胴部上端縁と対向するように固着されていることを特徴とする密封容器からなる。
また、請求項２に記載した発明は、前記落とし蓋の裏面に計量スプーンの係止手段として、計量スプーンの把手に対応する形状で、その両側壁幅が該スプーンの把手幅より僅かに狭く形成された凹陥部が設けられていることを特徴とする請求項１記載の密封容器からなる。
【０００５】
【発明の実施の形態】
以下，本発明を図面を用いてさらに詳しく説明する。
図１は本発明による密封容器１０の斜視図である。
図１に示すように、本発明による密封容器の胴部１は角柱状かあるいは角にアールを設けた四角柱状の紙を主とする筒状体から構成されている。具体的には４側壁と底部からなるカートンであっても、若干テーパーのある紙カップであっても、また複数の紙層からなる紙管に底部を取り付けたものであってもよい。
頭部にはヒンジの付いた落とし蓋２が取り付けられている。また胴部１の４辺にはそれぞれ折り返し片３が取り付けられ、落とし蓋２を胴部１に貼着させる機能を持たせている。この折り返し片の一つはヒンジＨとして作用し、図１（ｂ）に示すように落とし蓋２を開閉させることができる。
なお、左右の折り返し片３は削除してもよい。
【０００６】
図２は本発明による落とし蓋２の平面及び断面図である。落とし蓋２はプラスチックシートを真空成形あるいは真空／圧空成形によって一体成形されており、その平面図は図２（ａ）に示すように、周辺に前記胴部の端縁部と対向するフランジ５が設けられ、そのフランジ５は直線部分の４辺において延長され４枚の折り返し片３が形成され、さらにそのうちの一枚を残して３枚の折り返し片３が延長されて摘まみ４が形成されている。また、各折り返し片３には接着領域５が設けられている。
折り返し片３の枚数は図２（ａ）では４枚であるが、左右の折り返し片３を削除して対向する前後辺ににおける折り返し片３だけを設けるようにしてもよい。
さらに、フランジ５と折り返し片３の間に弱め線７が設けられている。これは、開封時に折り返し片３を落とし蓋２から切り取るためのもので、熱罫線とミシン刃を同時に作用させた、いわゆるリード罫であって、弱め線７に沿って折り返し片３を手で容易に切り離すことができる。
図２（ｂ）は図２（ａ）におけるＡ−Ａ’断面図であり、フランジ５形状の一例を示している。フランジ５の外周には折り返し片３、摘まみ片４が延設されている。
【０００７】
図３は落とし蓋２の周辺端部Ｅの拡大断面図である。
図３（ａ）に示すように、フランジ５は深絞りされて溝を形成し、その中に弱接着性でガスケット機能を有するパッキング剤８が埋め込まれて固着されている。この溝に対して胴部端部が押し込まれると本発明による密封容器の内部は高度な密閉系となる。
また、落とし蓋２はその外周と胴部１の内壁とがしっかり内嵌合するように胴部１の開口端部に合わせて精度よく成形されている。これだけでもかなりの密閉性は得られるが、上記のパッキング剤を用いることが望ましい。
この溝に対して、胴部端部が差し込まれた後、折り返し片３とそれに連接している摘まみ４が弱め線から折り曲げられ胴部側壁に剥離可能な接着材にて貼着される。
以上の落とし蓋２による封止と折り返し片３の胴部１への貼着は当然胴部１に内容物が充填されてから行われる。
図３（ｂ）はフランジ形状の別の例であって、フランジ５は溝を形成せずそのまま延長され、折り返し片３、摘まみ片４が設けられている。この場合、パッキング剤８は落とし蓋２の外周壁とフランジ５が形成するコーナー部に固着させればよい。
パッキング剤８の固着は、固着される面を上にして水平に置かれた落とし蓋２をＸ，Ｙ軸方向に固着すべき形状に従って水平移動させながらホットメルトアプリケーターのノズルからパッキング剤を押出すことによって行うことができる。またこの場合、落とし蓋２の方を固定し、ノズルの方を移動させてもよい。
以上のように胴部１上端に接合された落とし蓋２は、その周辺を手で掴んで持ち上げても折り返し片３の胴部１側壁に対する貼着によって脱落することはなく、容器全体を安全に持ち上げることができる。
さらに落とし蓋２の中央部を周辺のフランジ５と同レベルにすることにより、本発明による密封容器１０を積み重ねることができる。
【０００８】
図４（ａ）は本発明による密封容器１０に添付する計量スプーンＳを示し、図４（ｂ）はそれを落とし蓋２へ係止する手段の一例を示している。すなわち、図４（ｂ）に示すように、落とし蓋２の中央部に凹陥部９を設け凹陥部９の両側壁幅がスプーンＳの把手幅より僅かに狭くなるように形成しておき、落とし蓋２による封止前に、スプーンＳの把手をこの凹陥部９に押し込んで固定すればよい。
このように、スプーンＳを落とし蓋２に取り付けておけば、投げ込まれているスプーンＳを内容物の中から引っ張りだす必要はなくなり、また蓋が半透明であればスプーンを添付したかどうかの最終確認が包装完了後も可能となる。
【０００９】
以上の構成による本発明による密封容器１０の開封は、まず、３方あるいは前面に設けられた摘まみ４を持ち上げて折り返し片３を剥離し、弱め線７に沿って３方あるいは前面の折り返し片３を落とし蓋２本体から切り離す。後面側壁の折り返し片３はそのままの状態で残す。次に、図１（ｂ）に示すように落とし蓋２をヒンジＨを支点として開封し、中央に係止されたスプーンを取り外し、中身を計量して取り出し、スプーンを再度係止させてから、落とし蓋２を元の胴部端縁との嵌合状態にもどせば、密封性のある再封が可能である。そしてその操作は何回も繰返し行うことができる。
本発明による密封容器１０は、以上の構成により、初期開封から最後の中身を取り出すまで中身を密封状態に保持することができる。
【００１０】
本発明による密封容器１０の胴部１は前述のように、板紙単体あるいは紙を中心とする積層体のいずれでもよいが、水濡れ防止、防湿性の付与のため熱可塑性樹脂層をすくなくとも外面に備えていることが望ましい。
比較的薄めのカートンを使用する場合には、胴部端部は２重に折り返して、厚みを持たせる方が好ましい。
紙カップをそのまま胴部１とすることもできる。この場合、両面ポリエチレンコートを施し、圧縮強度があり、トップの巻締め部が均一に圧縮されているものが好ましい。
落とし蓋２については乳白、半透明あるいは任意に着色したプラスチックシートで、深絞り成形性のあるものであればよい。一般に、塩化ビニル、高密度ポリエチレン、ポリプロピレン、ポリスチレン、ポリエチレンテレフタレート、ポリブチレンテレフタレート、ポリカーボネート等の中から適宜選んで使用することができる。
パッキング剤８には若干の弾性と弱接着性が要求され、しかもフランジ５への固着部分に上記のように溶融状態で流し込む必要があることから、発泡性のあるホットメルト接着剤が好適に使用される。
折り返し片３の胴部１に対する接着は、ヒンジＨが形成される胴部後面側は強接着のホットメルト接着剤を使用し、開封側の３方については剥離可能に粘着する弱接着のホットメルト接着剤が望ましい。
【００１１】
本発明による密封容器は上述した実施の形態に限定されることなく、本発明の要旨を逸脱しない範囲内で種々の変形が可能である。
例えば、落とし蓋２の胴部１への固着は、折り返し片３と胴部１間の接着によって行っているが、折り返し片３の外側から粘着テープを用いて胴部１に貼り込むようにしてもよく、さらにフランジ５における溝の外壁を全周に亘って一様に延長し、延長部分が胴部上端部を外側からタイトに締めつけるようにしてもよい。  さらにまた、落とし蓋２の１コーナーあるいは１辺に近く弱め線によって区画された部分だけが開封するようにし、振出容器のようにして中身を１コーナー、あるいは１辺に沿って形成された振出口から取り出してもよい。この場合の開口形状は任意である。ただし計量スプーンを使う場合には別に用意しなければならない。
【００１２】
【実施例】
本発明による密封容器を家庭用の小型粉末洗剤に適用すべく、サイズが、高さ１３０ｍｍ，幅１５０ｍｍ，奥行き９０ｍｍで、内容量が１２００ｇ（約１７５０ｃｃ）の密封容器を試作した。
胴部１に関しては、カップ原紙４００ｇ／ｍ2 の両面に低密度ポリエチレンを２０μｍの厚みにコートした積層材で角にアールのある角状の容器を利用し、トップの巻締めを水平方向に潰して、胴部端部の厚みを０．８ｍｍにした。
一方この胴部の開口端縁形状に従って、図２で示すような落とし蓋２を、厚み０．４ｍｍの乳白のアモルファスなポリエチレンテレフタレートシートを用いて成形した。またフランジ５における溝の幅は１．２ｍｍとした。さらに図２には図示されていないが、断面が図３（ｄ）のような計量カップの係止手段を設けた。また、落とし蓋２のフランジ部の溝に上記の方法でパッキング材を流し込んで固着させた。このようにして得られた落とし蓋２を最後に中身の粉末洗剤を充填した胴部の端縁に嵌合させ、４方の折り返し片３を胴部１側壁にホットメルトで接着した。
このようにして得られた実施例サンプルの開封と再封は容易に繰返し行うことができ、再封した状態での３５℃、９０％ＲＨ，７日間での中身の粉末洗剤の吸湿による増量は殆ど見られなかった。
また、開封時に、従来の密封容器２０’に見られるような洗剤粉末の飛散は起きなかった。
さらに、計量カップの取り出しとセットは落とし蓋２との着脱だけで済むので手を汚さずに清潔に行うことができた。
【００１３】
【発明の効果】
本発明による密封容器は、紙を基材とする筒状胴部１、真空成形等により一体成形された落とし蓋２に加えて接着材とパッキング剤の補助資材によって構成され、比較的低い材料コストで提供することができる。従来の充填ラインがそのまま利用できる。再封後の密封性は初期開封前と大差がなく吸湿を嫌う内容物を最後まで密封して保存することができる。また内容物が粉末の場合に開封時の飛散が殆ど見られない。また、計量カップの脱着が容易で、清潔に行うことができる。  さらに、使用後は、紙とプラスチックの分別が容易で廃棄性のよい密封容器を提供できる。
【図面の簡単な説明】
【図１】本発明による密封容器の斜視図
【図２】落とし蓋の平面及び断面図
【図３】落とし蓋の折り返し片のある周辺部の拡大断面図
【図４】スプーンの取り付け手段説明図
【図５】従来の密封容器
【符号の説明】
１    胴部
２    落とし蓋
３    折り返し片
４    摘まみ
５    フランジ
６    接着領域
７    弱め線
８    パッキング剤
９    凹陥部
１０    本発明による密封容器
１１    胴部
１２    インナーシール
１３    被せ蓋
１４    帯状引き裂き片の引き裂き跡
２０    従来の密封容器
２０’  従来の密封容器
Ｅ    落とし蓋の折り返しのある周辺部
Ｈ    ヒンジ
Ｓ    計量スプーン
【図１】
0003802114.tif 000002
【図２】
0003802114.tif 000003
【図３】
0003802114.tif 000004
【図４】
0003802114.tif 000005
【図５】
0003802114.tif 000006